(57)【要約】 【課題】剣先部を簡単に着脱することができ、かつ、剣先部が無い状態であっても複数の受皿のみで遊ぶことができる剣玉玩具を提供する。【解決手段】剣玉玩具１は、把持部１１と、両端部に受皿を有する受皿胴部５と、剣先部２と、前記受皿胴部５に連結紐１２を介して連結された玉１３と、前記受皿胴部５に備えられた剣先受皿６と、で構成され、前記剣先部２の外周面に環状の溝４を設け、前記剣先受皿６の孔の内面に弾性体の環状リング１４を有し、前記剣先部２と前記剣先受皿６は嵌合させて固定することができ、前記剣先部２は、前記剣先受皿６に対して着脱可能とした。【選択図】図１
2018057720.tif 000002
【特許請求の範囲】
【請求項１】
把持部と、両端部に受皿を有する受皿胴部と、剣先部と、前記受皿胴部に連結紐を介して連結された玉と、前記受皿胴部に備えられた剣先受皿と、で構成され、前記剣先部は、前記剣先受皿に対して着脱可能である剣玉玩具。
【請求項２】
請求項１記載の剣玉玩具であって、前記剣先部は、外周面に環状の溝を設け、前記剣先受皿は、孔の内面に弾性体の環状リングを有し、前記剣先部と前記剣先受皿は嵌合させて固定することができ、前記剣先部は、前記剣先受皿に対して着脱可能である剣玉玩具。
【請求項３】
請求項１記載の剣玉玩具であって、前記剣先部と前記剣先受皿にネジ山を形成し、前記剣先部に前記剣先受皿を螺合して固定することができ、前記剣先部は、前記剣先受皿に対して着脱可能である剣玉玩具。
【発明の詳細な説明】
【技術分野】
【０００１】
本発明は、遊戯する者の好みで剣先を自由に着脱することができる剣玉玩具に関するものである。
【背景技術】
【０００２】
従来の剣玉玩具は、玩具の把持部と剣先部が一体に形成され、遊戯方法として剣先部の先端を玉に開けられた穴に差し込むか、又は玉をそれぞれの受皿に載せて行われていた。
【０００３】
特許文献１に記載された剣玉玩具は、玩具の把持部と剣先部が一体に形成され、それぞれの受皿部材に収納可能な剣先部材を有し、剣先部材は受皿部材に対し着脱可能となるようにしたものである。  
【先行技術文献】
【特許文献】
【０００４】
【特許文献１】特開２０１６−５９５３２号公報
【発明の概要】
【発明が解決しようとする課題】
【０００５】
従来の剣玉玩具及び特許文献１に記載された剣玉玩具では、一か所以上の剣先部が必須の構成要素であり、複数の受皿のみで遊戯したい者の要求を満たすことができない。
【０００６】
本発明は、上述した問題点を解決すべく、遊戯する者の好みで剣先部を簡単に着脱することができ、かつ、剣先部が無い状態であっても新たに備える受皿を利用した複数の受皿のみで遊ぶことができる、新しい発想の剣玉玩具を提供することを目的とする。
【課題を解決するための手段】
【０００７】
前記課題を解決するために本発明に係る剣玉玩具は、把持部と、両端部に受皿を有する受皿胴部と、剣先部と、前記受皿胴部に連結紐を介して連結された前記剣先部を差し込むことが可能な孔を有する玉と、前記受皿胴部に備えられた剣先受皿と、で構成され、前記剣先部の外周面に環状の溝を設け、前記剣先受皿の孔の内面に弾性体の環状リングを有し、前記剣先部と前記剣先受皿は嵌合させて固定することができ、前記剣先部は、前記剣先受皿に対して着脱可能としたことを特徴とするものである。
【０００８】
また、剣先部と剣先受皿にネジ山を形成し、前記剣先部に前記剣先受皿を螺合して固定することができ、前記剣先部は、前記剣先受皿に対して着脱可能としてもよい。
【発明の効果】
【０００９】
本発明は剣先部が着脱可能であるため、剣先部がある状態の従来の遊戯方法、または剣先部が無い状態で新たに備える受皿を利用した遊戯方法を、自由に選択することができ、遊戯方法を拡大し楽しく充実した剣玉玩具を提供することができる。
【図面の簡単な説明】
【００１０】
【図１】本発明の剣玉玩具の斜視図である。
【図２】本発明の剣玉玩具の構成を示す分解正面図である。
【図３】図（Ａ）は、第一実施例の剣玉玩具の断面図、図（Ｂ）は、剣先部ａの断面図、図（Ｃ）は、剣先受皿ａの断面図である。
【図４】図（Ａ）は、第二実施例の剣玉玩具の断面図、図（Ｂ）は、剣先部ｂの断面図、図（Ｃ）は、剣先受皿ｂの断面図である。
【図５】図（Ａ）は、剣先部が取り付けられた状態の正面図、図（Ｂ）は、剣先部を取り外した状態の正面図である。
【発明を実施するための形態】
【００１１】
以下、本発明の第一実施例の形態を説明する。図１は、本発明の剣玉玩具の斜視図である。
【００１２】
剣玉玩具１は、両端部に大受皿８及び中受皿９を備える略円柱状の受皿胴部５、遊戯する者が手で持つ略円錐形状の把持部１１、先端部が細くなっている棒状の剣先部ａ２、受皿胴部５に連結紐１２を介して連結された剣先部２を差し込むことが可能な孔を有する玉１３、玉１３を剣先部ａ２で差し込み、かつ、玉１３を載置可能な剣先受皿ａ６で構成されている。受皿胴部５の胴部外周面の中央に剣先受皿ａ６を新たに備えていることを特徴としている。
【００１３】
剣先受皿ａ６、大受皿８、中受皿９、小受皿１０は、玉１３を載せるために凹曲面が形成されている。
【００１４】
図２は、本発明の剣玉玩具の構成を示す分解正面図である。剣先部ａ２の下部には環状の溝４が形成され、剣先部ａ２、受皿胴部５、剣先受皿ａ６、把持部１１、玉１３は、素材が木材又は硬質プラスチックとしている。
【００１５】
図３（Ａ）は、第一実施例の剣玉玩具１を組み付けた状態の断面図、図３（Ｂ）は、剣先部ａ２の拡大断面図、図３（Ｃ）は、剣先受皿ａ６の拡大断面図である。把持部１１と剣先部ａ２の一方の先端は、受皿胴部５の略円柱の胴部に挿着して固定する。
【００１６】
図３（Ｂ）に示すように、剣先部ａ２の下部には環状の溝４と底部中央に凹部１５が設けられている。
【００１７】
図３（Ｃ）に示すように、剣先受皿ａ６の凹曲面中央部は、剣先部ａ２の下部を挿入するために円柱形状の孔と孔の中央底部に凸部１６が設けられている。剣先受皿ａ６の孔の内面中央付近は、弾性体の環状リング１４が挿入されている。
【００１８】
剣先部ａ２を剣先受皿ａ６の凹曲面中央部に挿入することにより、剣先部ａ２の溝４は剣先受皿ａ６の環状リング１４と嵌合し、剣先部ａ２の凹部１５は剣先受皿ａ６の凸部１６に嵌合して剣先部ａ２は剣先受皿ａ６に位置決めされ固定される。このように、剣先部ａ２は、剣先受皿ａ６に対して着脱可能となっている。
【００１９】
図４（Ａ）は、第二実施例の剣玉玩具１を組み付けた状態の断面図、図４（Ｂ）は、剣先部ｂ３の拡大断面図、図４（Ｃ）は、剣先受皿ｂ７の拡大断面図である。把持部１１と剣先部ｂ３の一方の先端は、受皿胴部５の略円柱の胴部に挿着して固定する。
【００２０】
図４（Ｂ）に示すように、剣先部ｂ３の下部は雄ネジ１７を形成している。
【００２１】
図４（Ｃ）に示すように、剣先受皿ｂ７の凹曲面中央部は、剣先部ｂ３の下部を挿入するために円柱形状の孔と孔の中央底部に雌ネジ１８を形成している。
【００２２】
剣先部ｂ３を剣先受皿ｂ７の凹曲面中央部に挿入し、雄ネジ１７を雌ネジ１８に螺合されることにより、剣先部ｂ３は剣先受皿ｂ７ａに位置決めされ固定される。このように、剣先部ｂ３は、剣先受皿ｂ７に対して着脱可能となっている。
【００２３】
図５（Ａ）は、剣先部ａ２が取り付けられた状態の剣玉玩具１の正面図、図５（Ｂ）は、剣先部ａ２を取り外した状態の剣玉玩具１の正面図である。
【００２４】
このように剣先部ａ２が着脱可能であるため、剣先部ａ２がある従来の遊戯方法、または剣先部ａ２が無い状態で新たに備える剣先受皿ａ６を利用した遊戯方法を、自由に選択することができる。剣先部ｂ３においても同様に着脱可能である。
【００２５】
なお、剣先受皿ａ６と受皿胴部５は、別体としているが一体成型が可能であれば、一体物として成型しても良い。
【符号の説明】
【００２６】
１    剣玉玩具
２    剣先部ａ
３    剣先部ｂ
４    溝
５    受皿胴部
６    剣先受皿ａ
７    剣先受皿ｂ
８    大受皿
９    中受皿
１０  小受皿
１１  把持部
１２  連結紐
１３  玉
１４  環状リング
１５  凹部
１６  凸部
１７  雄ネジ
１８  雌ねじ
【図１】
2018057720.tif 000003
【図２】
2018057720.tif 000004
【図３】
2018057720.tif 000005
【図４】
2018057720.tif 000006
【図５】
2018057720.tif 000007